(57)【要約】      （修正有）【課題】表示スクリーンと、通信モジュールと、手書きモジュールと、コントローラとを含む即時ドキュメント映像・音声相互討論システム及び方法を提供する。【解決手段】手書きモジュールが、手書きペンによるタブレット上の手書き動作を感知することにより手書き入力情報を得る。コントローラが、表示スクリーンの交流領域にドキュメント映像を表示し、且つ、ドキュメント映像をバックグラウンド図とする交流領域には、通信モジュールを介して討論対象により獲得或いは手書きモジュールより入力された手書き入力情報を表示させる。このように、操作者がドキュメント映像上に手書きペンで手書き入力し、さらに、即時映像・音声テレビの操作に合せて、討論対象と相互討論する。【選択図】図１
2007158796.tif 000002
【特許請求の範囲】
【請求項１】
操作者が、バックグラウンド図としてのドキュメント映像に基づいて、討論対象とインターネットを介して相互討論する即時ドキュメント映像・音声相互討論システムにおいて、
表示スクリーンと、
前記ドキュメント映像を送受信する通信モジュールと、
手書きペンによるタブレット上の手書き動作を感知することにより手書き入力情報を得る手書きモジュールと、
表示スクリーンの交流領域にドキュメント映像を表示し、且つ、ドキュメント映像をバックグラウンド図とする交流領域に、前記手書き入力情報を表示させるコントローラと、
前記操作者の音声信号を入力し、且つ、コントローラの制御により前記音声信号を前記通信モジュールを経て出力する音声入力装置と、を含む即時ドキュメント映像・音声相互討論システム。
【請求項２】
前記操作者と討論対象が所有する該即時ドキュメント映像・音声相互討論システムでは、前記表示スクリーンの交流領域に表示された該ドキュメント映像が、いずれも同じであることを特徴とする請求項１記載の即時ドキュメント映像・音声相互討論システム。
【請求項３】
前記ドキュメント映像が、操作者又は討論対象が所有する該即時ドキュメント映像・音声相互討論システム中の格納媒体から得られることを特徴とする請求項１記載の即時ドキュメント映像・音声相互討論システム。
【請求項４】
前記ドキュメント映像が、操作者又は討論対象が所有する該即時ドキュメント映像・音声相互討論システム中の該通信モジュールにより相手に供給できることを特徴とする請求項１記載の即時ドキュメント映像・音声相互討論システム。
【請求項５】
前記ドキュメント映像をバックグラウンド図とする交流領域に、前記手書き入力情報を表示するときに、前記手書き入力情報が、手書きモジュールにより供給されることを特徴とする請求項１記載の即時ドキュメント映像・音声相互討論システム。
【請求項６】
前記ドキュメント映像をバックグラウンド図とする交流領域に、前記手書き入力情報を表示するときに、前記手書き入力情報が、手書き入力信号として通信モジュールにより受信されることを特徴とする請求項１記載の即時ドキュメント映像・音声相互討論システム。
【請求項７】
該操作者の即時ドキュメント映像・音声相互討論システムの手書きモジュールが得た該手書き入力情報は、手書き入力信号として前記通信モジュールにより該討論対象の該即時ドキュメント映像・音声相互討論システムに送信されることを特徴とする請求項１記載の即時ドキュメント映像・音声相互討論システム。
【請求項８】
前記手書きモジュールの該タブレットは、前記表示スクリーンと一体化されることを特徴とする請求項１記載の即時ドキュメント映像・音声相互討論システム。
【請求項９】
さらに、該操作者の映像信号を入力し、且つ、前記コントローラの制御により前記映像信号を前記通信モジュールを経て出力する映像入力装置を含むことを特徴とする請求項１記載の即時ドキュメント映像・音声相互討論システム。
【請求項１０】
操作者が、バックグラウンド図としてのドキュメント映像に基づいて、討論対象とインターネットを介して相互討論する即時ドキュメント映像・音声相互討論方法において、
前記ドキュメント映像を受け取る工程と、
表示スクリーンの交流領域に前記ドキュメント映像を表示させる工程と、
手書きペンによるタブレット上の手書き動作を感知することにより手書き入力情報を得る工程と、
前記ドキュメント映像をバックグラウンド図とする交流領域に、前記手書き入力情報を表示させる工程と、
前記操作者の音声信号を前記討論対象に出力する工程と、を含む即時ドキュメント映像・音声相互討論方法。
【請求項１１】
前記操作者と討論対象が得られた該ドキュメント映像が、いずれも同じであることを特徴とする請求項１０記載の即時ドキュメント映像・音声相互討論方法。
【請求項１２】
前記操作者及び討論対象が得られた該ドキュメント映像が、相手により供給されることを特徴とする請求項１０記載の即時ドキュメント映像・音声相互討論方法。
【請求項１３】
前記ドキュメント映像をバックグラウンド図とする交流領域に、前記手書き入力情報を表示するときに、前記手書き入力情報が、手書きペンによるタブレット上の手書き動作を感知することにより得られたことを特徴とする請求項１０記載の即時ドキュメント映像・音声相互討論方法。
【請求項１４】
前記ドキュメント映像をバックグラウンド図とする交流領域に、前記手書き入力情報を表示するときに、前記手書き入力情報が、手書き入力信号として通信モジュールを介して相手側により受信されることを特徴とする請求項１０記載の即時ドキュメント映像・音声相互討論方法。
【請求項１５】
該操作者が得た該手書き入力情報は、手書き入力信号として前記通信モジュールにより該討論対象に送信されることを特徴とする請求項１０記載の即時ドキュメント映像・音声相互討論方法。
【請求項１６】
さらに、該操作者の映像信号を該討論対象に出力する工程を含むことを特徴とする請求項１０記載の即時ドキュメント映像・音声相互討論方法。
【発明の詳細な説明】
【技術分野】
【０００１】
本発明は、即時ドキュメント映像・音声相互討論システム及び方法に係わり、とくに、ドキュメント映像上にテレビ対話及び手書きペン入力により討論対象と相互討論する即時ドキュメント映像・音声相互討論システム及び方法に関するものである。
【背景技術】
【０００２】
関係する人々が集まって図柄や図表などのドキュメントに係わることを共に討論することは、関連人員の往復時間がかかっても、会って話す必要がある。その主な原因は、図柄や図表などのドキュメントに係わることが、電話でははっきり解釈し難いからである。例えば、相手を誘って図表上のあるコラム箇所の数字或いは図柄のある部分を見るときに、常にたくさんの時間で交流してから相手が指すものがどちらであるかがやっと分かるようになる。
【０００３】
テレビ電話或いはテレビ会議システムを採用するときに、相手が指す数字或いは図柄のある部分が見られるが、インターネット帯域幅の使用量を減少するために、その解像度が通常良くなく、細かい部分が見え難いので、討論するときに、完璧な境界を依然達成できない。また、図柄や図表などのドキュメント上に、部分の図柄或いは文字を別に描画するときに、筆で書いた後にさらにテレビ電話或いはテレビ会議システムのマイクビデオロカメラで撮像する必要があるので、テレビ電話或いはテレビ会議システムを用いてドキュメントを討論するときにも、討論の双方にとって充分に便利ではない。
【０００４】
また、今の市場において、一般にいわゆる即時映像・音声ファイル動画面の交流は、インターネット双方の録音対談ができ、スクリーン画面動態操作の交流を加え、交流効果が満足な程度に達成できるが、一対一の交流で使用するインターネット帯域幅が、少なくとも数百Ｋｂｐｓ（一般に、約５００Ｋ〜６００Ｋｂｐｓ、ないしより多い）を要し、これは、即時スクリーンの動画面が、少なくとも１０〜２０の画面を秒毎に受け取らなければ達成できないので、双方がインターネットを介して討論しネット帯域幅を占有し過ぎないようにすることが解決しようとする課題である。
【発明の開示】
【発明が解決しようとする課題】
【０００５】
本発明の主な目的は、討論双方が討論しようとするドキュメントの映像を夫々獲得した後に、手書きモジュールの手書きペンでドキュメントの映像上に手書き入力情報を加え、通信モジュールを介してネット帯域幅を極めて少なく占める手書き入力情報を手書き入力信号として相手に伝送し、即時且つ便利に相互討論できる即時ドキュメント映像・音声相互討論システム及び方法を提供する。
【課題を解決するための手段】
【０００６】
前記目的を達成するために、本発明は、表示スクリーンと、通信モジュールと、手書きモジュールと、コントローラとを含む即時ドキュメント映像・音声相互討論システム及び方法を提供する。該手書きモジュールが、手書きペンによるタブレット上の手書き動作を感知することにより手書き入力情報を得る。該コントローラが、表示スクリーンの交流領域にドキュメント映像を表示し、且つ、ドキュメント映像をバックグラウンド図とする交流領域に、通信モジュールを介して討論対象により獲得或いは手書きモジュールより入力された手書き入力情報を表示させる。このように、操作者がドキュメント映像上に手書きペンで手書き入力情報を加え、討論対象と相互討論し、且つ、双方は共にビデオを通じて交流する。
【０００７】
本発明の特徴及び技術内容は、以下に本発明に関わる詳しい説明及び添付図面を参照することにより、深く且つ具体的な理解を得られるが、それらの添付図面が参考及び説明のみに使われ、本発明の主張範囲を狭義的に局限するものではないことは言うまでもないことである。
【発明を実施するための最良の形態】
【０００８】
図１は即時ドキュメント映像・音声相互討論システムを示す図である。図１に示されるように、討論の双方（即ち、操作者と討論対象）がインターネットを介して相互討論しようとするときに、本実施例の即時ドキュメント映像・音声相互討論システム１０及び２０を夫々所有する。本実施例の即時ドキュメント映像・音声相互討論システム１０及び２０において、表示スクリーン１２及び２２と、通信モジュール１６及び２６と、手書きモジュール（手書きペン１９及び２９と、タブレット（板状本体）１８及び２８）と、コントローラ１４及び２４と、映像入力装置１３及び２３と、音声入力装置１５及び２５とを備える。
【０００９】
簡単に言えば、操作者（即時ドキュメント映像・音声相互討論システム１０を所有）が、討論対象（即時ドキュメント映像・音声相互討論システム２０を所有）と、ドキュメント映像（例えば、図２Ａでのドキュメント映像３０）について討論しようとするときに、コントローラ１４が、討論しようとするドキュメント映像を開き、さらに、該ドキュメント映像上に加えた手書き入力情報を介して相互討論し、相互討論の過程において映像及び／或いは音声により討論過程の順調度を増加する。
【００１０】
本実施例を言えば、操作者が、映像入力装置１３と音声入力装置１５により自己の映像信号及び音声信号を入力し、手書きペン１９によりタブレット１８に書いて手書き入力情報を手書き入力信号として入力する。コントローラ１４が、前記獲得した映像信号、音声信号、手書き入力信号及びドキュメント映像を、通信モジュール１６を介して、相手の即時ドキュメント映像・音声相互討論システム２０に伝送し受信され、且つ、コントローラ１４が、手書き入力情報を討論しようとするドキュメント映像に書き加え、討論対象側の表示スクリーン２２には、受信されたドキュメント映像とドキュメント映像に同期して手書き入力情報が表示でき、また、映像信号及び音声信号を同期して受信できる。
【００１１】
使用されるネット伝送帯域幅を減少させるために、ドキュメント映像の伝送が、継続的にドキュメント映像（このように、ネット伝送帯域幅が無駄にし易い）を伝送することではなく、主に一回で行い、操作者と討論対象の双方が、このドキュメント映像上に手書き入力信号を同期して伝送表示し、且つ、映像信号、音声信号を同期して合せて解釈する。このようにして、討論対象が、ドキュメント映像に描画された手書き入力信号により、映像信号及び音声信号の交流に加え、操作者が何を伝えようとしているか分かり易くなる。一方、討論対象側の即時ドキュメント映像・音声相互討論システム２０の操作も、操作者側の即時ドキュメント映像・音声相互討論システム１０と同じであるため、ここで、詳しい説明をしない。また、上記の通信モジュール１６及び２６が、ネット伝送の操作を提供できる。
【００１２】
手書き入力自体については、従来の技術であるが、ここで、幾つかの可能性を触れておく。一つは、外付け式タブレット１８であり、また、外付け式タブレット１８により手書きペン１９の手書き動作を感知し手書き軌跡を得、もう一つがタブレット１８と表示スクリーン１２とを一体化するが、同様に手書きペン１９の手書き動作を感知し手書き軌跡を得ることができる。ただ、この際に、手書きペン１９が、タブレット１８を含む表示スクリーン１２上に手書き入力する。或いは、マウスの移動により移動軌跡入力の操作を提供する。
【００１３】
双方討論上の基礎としてのドキュメント映像、即ち、スクリーン１２上にバックグラウンド図としてのドキュメント映像には、その来源も二種の可能性があり、誰から相互討論が始められるかによって決める。操作者より即時ドキュメント映像・音声相互討論システム１０で討論を始めると、このドキュメント映像がその格納媒体より得られ、表示スクリーン１２に表示する以外に、通信モジュール１６を介して相手に送信する。討論対象より即時ドキュメント映像・音声相互討論システム２０で討論を始めると、即時ドキュメント映像・音声相互討論システム１０において、このドキュメント映像が通信モジュール１６より受信される。
【００１４】
誰が提供或いはどのように得られるかの何れか、実際に討論をする前に、双方が見られるドキュメント映像が、必ず同じであり、且つ、お互いのコントローラ１４、２４が、共にドキュメント映像を獲得した後に表示スクリーン１２に表示される。続いて、操作者も或いは討論対象も、共に手書きモジュール（手書きペン１９及び２９と、タブレット１８及び２８）を介して、ドキュメント映像上に手書き入力することができ、また、通信モジュール１６、２６を介して相手に送信し、相手側に自己が入力した手書き情報を同期して見せることができる。
【００１５】
以上のように、本発明の即時ドキュメント映像・音声相互討論システム１０と２０の間に、討論双方が討論しようとするドキュメント映像を夫々得られた後に、手書きモジュールでの手書きペン１９、２９を持ってドキュメント映像上に手書き入力し、通信モジュール１６、２６を介して、インターネット帯域幅を極めて少なく占める手書き入力信号と映像入力装置１３、２３及び音声入力装置１５、２５により入力した映像信号及び音声信号を相手に伝送し、即時且つ便利的に相互討論を行える。一方、従来では、完全に映像・音声（ビデオ）信号で動画像を伝送し、必要とするネット帯域幅が、５００Ｋｂｐｓ〜６００Ｋｂｐｓ以上に高く、特に大勢の人の間で討論するときに、必要とするネット帯域幅が驚くほどより大きいが、本発明が提供するシステム及び方法は、一回だけでドキュメント映像（非動画像）及び手書き入力信号を送信するため、インターネット帯域幅を大幅に節約できる。且つ、映像信号及び音声信号も、適当な処理を経て受信できるインターネット伝送帯域幅内に制御できる。ここで、即時ドキュメント映像・音声相互討論システム１０と２０の表示スクリーン１２、２２上に表示された画面により、どのように相互討論をするかをより具体的に説明する。
【００１６】
図２Ａ〜図２Ｄは、本発明の相互討論の様子を示す図である。図２Ａに示されるように、即時ドキュメント映像・音声相互討論システム１０と２０の表示スクリーン１２、２２上に、さらに、交流領域１２ａ、２２ａ及びテレビ表示領域４０、４２を夫々含み、且つ、表示スクリーン１２の交流領域１２ａにドキュメント映像３０を表示するが、このとき、表示スクリーン２２が該ドキュメント映像３０の受信を待つため、その交流領域２２ａには如何なる画面も表示されない。テレビ表示領域４０には、映像・音声相互討論システム２０が出力した映像信号を表示し、テレビ表示領域４２には、映像・音声相互討論システム１０が出力した映像信号を表示する。
【００１７】
即時ドキュメント映像・音声相互討論システム１０が、図１に示される通信モジュール１６を介して、ドキュメント映像３０を即時ドキュメント映像・音声相互討論システム２０の通信モジュール２６に伝送した後に、図２Ｂに示されるように、そのコントローラ２４が、これを表示スクリーン２２の交流領域２２ａに表示できる。
【００１８】
続いて、操作者が手書きペン１９を持ってドキュメント映像３０をバックグラウンド図とする交流領域１２ａにおいて、図２Ｃに示される手書き入力情報３２が現れた後に、別に通信モジュール１６、２６が提供する通信手段を介して、図２Ｄに示されるように、表示スクリーン２２の交流領域２２ａにも手書き入力情報３２を表示させる。
【００１９】
図２Ａ〜図２Ｄでは、手書き入力情報で討論する以外に、映像及び／或いは音声の入力を合せることができ、また、映像信号がテレビ表示領域４０、４２を介して表示し、映像・音声相互討論を達成できる。
【００２０】
また、操作者（即時ドキュメント映像・音声相互討論システム１０を所有）が、討論対象（即時ドキュメント映像・音声相互討論システム２０を所有）と、もう一つのドキュメント映像３０を討論しようとするときに、再び図２Ａ〜図２Ｄのように討論することができる。
【００２１】
なお、前記の説明は、単に本発明の実施可能な実施例に過ぎなく、本発明の特許請求の範囲を局限するものではなく、いずれの当該分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００２２】
【図１】本発明の好ましい実施例の即時ドキュメント映像・音声相互討論システムを示す図である。
【図２Ａ】本発明の相互討論の様子を示す図である。
【図２Ｂ】本発明の相互討論の様子を示す図である。
【図２Ｃ】本発明の相互討論の様子を示す図である。
【図２Ｄ】本発明の相互討論の様子を示す図である。
【符号の説明】
【００２３】
１０、２０  即時ドキュメント映像・音声相互討論システム
１２、２２  表示スクリーン
１２ａ、２２ａ  交流領域
１３、２３  映像入力装置
１４、２４  コントローラ
１５、２５  音声入力装置
１６、２６  通信モジュール
１８、２８  タブレット
１９、２９  手書きペン
３０  ドキュメント映像
３２  手書き入力情報
４０、４２  テレビ表示領域
【図１】
2007158796.tif 000003
【図２Ａ】
2007158796.tif 000004
【図２Ｂ】
2007158796.tif 000005
【図２Ｃ】
2007158796.tif 000006
【図２Ｄ】
2007158796.tif 000007